(57)【要約】【課題】  映像且つ音声出力機能を有する複数の映像・音響機器が複数接続され、システムとして動作する場合に、システムとして必要な分だけ組み合せることが可能な構成簡単にして安価な映像・音響システムを得る。【解決手段】  映像情報および音声情報をモニタ部５や音声トランスミッタ部６へ出力する映像・音声出力装置（ヘッドユニット）１と、この映像・音声出力装置１と共通信号線３を介して接続され、外部の映像情報および音声情報をモニタ部５や音声トランスミッタ部６へ切換出力する映像・音声出力装置（外部プレイヤ）２と、映像・音声出力装置１、２を外部より選択的に操作するリモートコントロール操作部４とを備え、映像・音声出力装置１、２は、共通信号線３を流れる信号に基づいて単独および組み合わせの少なくとも一方の回路形態で作動する。【選択図】        図１
2006086641.tif 000002
【特許請求の範囲】
【請求項１】
第１の映像情報および音声情報を表示手段へ出力する第１の情報出力手段と、該第１の情報出力手段と共通信号線を介して接続され、第２の映像情報および音声情報を上記表示手段へ切換出力する第２の情報出力手段と、上記第１および第２の情報出力手段を外部より選択的に操作する遠隔操作手段とを備え、上記第１および第２の情報出力手段は、上記共通信号線を流れる信号に基づいて単独および組み合わせの少なくとも一方の回路形態で作動することを特徴とする映像・音響システム。
【請求項２】
第１の情報出力手段は、遠隔操作手段の操作内容を判断し、その判断結果に基づいて制御信号を発生する第１の制御手段と、該第１の制御手段の出力に基づいて第１の映像情報および音声情報の少なくとも一方を選択して出力する第１の情報再生手段とを備え、第２の情報出力手段は、上記第１の情報出力手段から共通信号線を流れる信号に基づいて制御信号を発生する第２の制御手段と、該第２の制御手段から制御信号に基づいて第２の映像情報および音声情報を上記表示手段に出力する第２の情報再生手段と、上記第２の制御手段からの制御信号に基づいて上記第２の情報再生手段からの第２の映像情報および音声情報を上記表示手段に切換出力する切換手段とを備えたことを特徴とする請求項１記載の映像・音響システム。
【請求項３】
第１の制御手段は、少なくとも遠隔操作手段の操作内容から外部接続状況を認識する外部接続状態判断手段を備え、第２の制御手段は、少なくとも上記第１の制御手段から共通信号線を介して出力される信号に基づいて外部接続状況を認識すると共に、対応する処理を行なう外部接続判断・処理手段を備えたことを特徴とする請求項２記載の映像・音響システム。
【発明の詳細な説明】
【技術分野】
【０００１】
この発明は、映像または音声出力機能を有する映像・音響システムに関し、特に、車両内等で用いて好適な映像・音響システムに関するものである。
【背景技術】
【０００２】
映像または音声出力機能を有する映像・音響機器を複数接続し、複数のソースを、複数の音声出力回路を経由して、同時に聞くことのできる従来の車両内での映像・音響システムにおいては、複数のユーザ（例として、前部座席ユーザと後部座席ユーザに別け、以後これを前部座席、後部座席とする）は、それぞれに配置された操作部を使用して、聞きたいソースを選択することができる。この場合、複数のユーザが選択したソースを、どの音声出力回路を経由させるかは、マスタ機器の方で管理する。つまり、マスタ機器が接続されるという前提で、このシステムは成り立っている（例えば、特許文献１参照）。
【０００３】
【特許文献１】特開平１０−９３８７８号公報
【発明の開示】
【発明が解決しようとする課題】
【０００４】
従来の映像・音声出力機能を備えた映像・音響機器は以上のように構成されているので、マスタ機器（例えばヘッドユニット）が存在しなければ、その他の接続機器は動作せず、その為、想定したマスタ機器が存在しないシステムでは、他の音声・映像機器を取り付けることができないという問題点があった。
また、単独で動作可能な映像・音響機器が複数接続されたシステムにおいて、操作部や表示部など似たような付属品を使用することがあるが、この場合、接続機器が増えるに従って、付属品も増え、しかも、単独で動作可能な映像・音声出力機能を備えた映像・音響機器は以上のように構成されているので、映像・音響機器を接続するたびに、不要な付属品が増えてしまうという問題点があった。
【０００５】
この発明は、上記のような課題を解決するためになされたもので、映像且つ音声出力機能を有する複数の映像・音声出力装置が複数接続され、システムとして動作する場合に、システムとして必要な分だけ組み合せることが可能な構成簡単にして安価な映像・音響システムを得ることを目的とする。
【課題を解決するための手段】
【０００６】
この発明に係る映像・音響システムは、映像情報および音声情報をモニタ部や音声トランスミッタ部へ出力する映像・音声出力装置（ヘッドユニット）と、この映像・音声出力装置と共通信号線を介して接続され、外部の映像情報および音声情報をモニタ部や音声トランスミッタ部へ切換出力する映像・音声出力装置（外部プレイヤ）と、映像・音声出力装置を外部より選択的に操作するリモートコントロール操作部とを備え、映像・音声出力装置は、共通信号線を流れる信号に基づいて単独および組み合わせの少なくとも一方の回路形態で作動するものである。
【発明の効果】
【０００７】
この発明は、映像・音響システムで用いられるモニタや音声トランスミッタ等の付属品を、システムとして必要な分だけ組み合せることができ、構成の簡略化、コストの低廉化が図れるという効果がある。
【発明を実施するための最良の形態】
【０００８】
以下、この発明の実施の一形態を、一例として映像・音響システムを車両内に搭載する場合を例にとり説明する。
実施の形態１．
図１は、この発明の実施の形態１による映像・音響システムの構成を示すブロック図である。
図１において、本実施の形態による映像・音響システムは、第１の映像情報および音声情報としての映像信号や音声信号を出力するための第１の情報出力手段としての映像・音声出力装置（以下、ヘッドユニットと称する）１と、同じく第２の映像情報および音声情報としての映像信号や音声信号を出力するための第２の情報出力手段としての映像・音声出力装置（以下、外部プレイヤと称する）２と、ヘッドユニット１と外部プレイヤ２とが現在どのように動作しているのかお互いの状況を判別できることのできる信号をヘッドユニット１と外部プレイヤ２間で伝送する例えば車内ＢＵＳ等の共通信号線３と、ヘッドユニット１または外部プレイヤ２が認識可能で、且つ後部座席（後席）ユーザが使用したいソースを選択できる釦等を有する遠隔操作手段としてのリモートコントロール操作部４と、ヘッドユニット１からの映像信号もしくは外部プレイヤ２からの映像信号が入力可能なモニタ部５と、ヘッドユニット１からの音声信号または外部プレイヤ２からの音声信号が入力可能な音声トランスミッタ部６と、ヘッドユニット１からの音声信号を音声に変換する車両用スピーカ部７とを備える。なお、モニタ部５、音声トランスミッタ部６および車両用スピーカ部７は実質的に表示手段を構成する。
【０００９】
ヘッドユニット１は、ヘッドユニット１に配設されたパネル操作部１１と、ラジオ放送を受信するためのラジオ受信部１２と、例えばヘッドユニット１のＤＶＤメカ機構を有する映像・音声メディアの第１の情報再生手段としての再生部１３と、再生部１３と外部プレイヤ２との映像信号を入力し、どちらの映像信号をモニタ部５へ送信するかの切換え機能（映像出力用切換スイッチ）を有する映像出力部１４と、再生部１３と外部プレイヤ２との音声信号を入力し、どちらの音声信号を音声トランスミッタ部６へ送信するかの切換え機能（トランスミッタ出力用切換スイッチ）を有する音声出力部１５と、ラジオ受信部１２と再生部１３と外部プレイヤ２との音声信号を入力し、どの音声信号を車両用スピーカ部７へ送信するかの切換え機能（スピーカ出力用切換スイッチ）を有する音声出力部１６と、共通信号線３上の信号やリモートコントロール操作部４もしくはパネル操作部１１の操作に応じて、ラジオ受信部１２、再生部１３、外部プレイヤ２を制御し、且つ映像出力部１４、音声出力部１５、音声出力部１６を制御する例えばマイコンからなる第１の制御手段としての制御部１７とを備える。
【００１０】
また、外部プレイヤ２は、例えば外部のＤＶＤメカ機構を有する映像・音声メディアの第２の情報再生手段としての再生部２１と、共通信号線３上の信号やリモートコントロール操作部４の操作に応じて再生部２１を制御すると共に、後述の切換スイッチの切り換えを制御する第２の制御手段としての制御部２２と、再生部２１とヘッドユニット１の映像出力部１４、音声出力部１５および音声出力部１６との間にそれぞれ設けられ、制御部２２からの切換制御信号により切り換えられるスイッチ２３−１、２３−２および２３−３を有する切換手段としての切換スイッチ２３とを備える。そして、外部プレイヤ２の上部には、この外部プレイヤ２を単独で使用する際に、切換スイッチ２３を介して再生部２１に、モニタ部５、音声トランスミッタ部６および車両用スピーカ部７をそれぞれ接続するための端子Ｔ１，Ｔ２，Ｔ３が設けられる。
【００１１】
なお、映像出力部１４の映像出力用切換スイッチの接点ａは再生部１３の出力側に接続され、同じく接点ｂは外部プレイヤ２の切換スイッチ２３のスイッチ２３−１を介して再生部２１の出力側に接続され、これらの接点ａおよびｂが制御部１７からの切換制御信号により切り換えられる。また、音声出力部１５のトランスミッタ出力用切換スイッチの接点ａは再生部１３の出力側に接続され、同じく接点ｂは外部プレイヤ２の切換スイッチ２３のスイッチ２３−２を介して再生部２１の出力側に接続され、これらの接点ａおよびｂが制御部１７からの切換制御信号により切り換えられる。また、音声出力部１６のスピーカ出力用切換スイッチの接点ａはラジオ受信部１２の出力側に接続され、同じく接点ｂおよびｃはそれぞれ再生部１３の出力側および外部プレイヤ２の切換スイッチ２３のスイッチ２３−３を介して再生部２１の出力側に接続され、これらの接点ａ、ｂおよびｃが制御部１７からの切換制御信号により切り換えられる。
【００１２】
また、切換スイッチ２３のスイッチ２３−１の接点ａは端子Ｔ１に接続され、その接点ｂは映像出力部１４の映像出力用切換スイッチの接点ｂに接続され、同様に、切換スイッチ２３のスイッチ２３−２の接点ａは端子Ｔ２に接続され、その接点ｂは音声出力部１５のトランスミッタ出力用切換スイッチの接点ｂに接続され、また、切換スイッチ２３のスイッチ２３−３の接点ａは端子Ｔ３に接続され、その接点ｂは音声出力部１６のスピーカ出力用切換スイッチの接点ｃに接続され、これら切換スイッチ２３のスイッチ２３−１〜２３−３の各接点ａ、ｂが制御部２２からの切換制御信号により切り換えられる。
【００１３】
図２は、ヘッドユニット１の制御部１７および外部プレイヤ２の制御部２２の具体的構成の一例を示すブロック図である。
図２において、ヘッドユニット１の制御部１７は、外部のリモートコントロール操作部４でユーザがパワー釦を押したことを判断するパワーオン判断部１７−１と、同じく外部のリモートコントロール操作部４でユーザがプレー釦例えばＭＯＤＥ釦等を押したことを判断するプレー信号判断部１７−２と、パワーオン判断部１７−１の出力と予めメモリ１７−４に記憶されている外部接続情報等を対比することで外部プレイヤ２が接続されている状態等を判断し、外部接続状況を認識できる外部接続状態判断手段としての外部接続状態判断部１７−３と、プレー信号判断部１７−２からの判断結果に基づいて対応するコマンドを生成するコマンド生成部１７−５と、外部接続状態判断部１７−３の判断結果に基づいてコマンド生成部１７−５で生成されたコマンドを外部プレイヤ２側に送信し、或いは外部プレイヤ２側から受信する、つまり共通信号線３を介してヘッドユニット１と外部プレイヤ２とが現在どのように動作しているのかお互いの状況を判別できることのできる信号をヘッドユニット１と外部プレイヤ２間で送受信する送受信部１７−６とを備える。
【００１４】
また、外部プレイヤ２の制御部２２は、ヘッドユニット１の送受信部１７−６と同様の機能を有し、共通信号線３上の信号を送受信する送受信部２２−１と、送受信部２２−１の出力である共通信号線３上の信号から外部プレイヤ２が接続されている状態等を判断して外部接続状況を認識し、その対応する処理の仕方を判断して、再生部２１の電源２２−３のオンオフを制御すると共に、切換スイッチ２３の切り換えを制御する外部接続判断・処理手段としての外部接続及び処理判断部２２−２とを備える。なお、外部プレイヤ２の制御部２２にても、外部のリモートコントロール操作部からの操作を受けるように構成してもよい。
【００１５】
次に、動作について、図３〜図６を参照して説明する。
まず、図３および図４を参照して、ヘッドユニット１の動作について説明する。
外部のリモートコントロール操作部４のパワー釦は音声トランスミッタ部６をオンオフするのに使用され、後部座席のユーザに使用されるものとする（後部座席のユーザが音声トランスミッタ部６を経由してヘッドホン（図示せず）で前部座席と同じもしくは異なるソースを聞けると想定する）。リモートコントロール操作部４のパワー釦が押されたか否かを判別し（ステップＳＴ１）、押されていれば、リモートコントロール操作部４のパワー釦解析処理を開始する。最初に、現在音声トランスミッタ部６がオン状態にあるか否かを制御部１７のパワーオン判断部１７−１で判別し（ステップＳＴ２）、音声トランスミッタ部６がオフ状態の場合には、制御部１７はヘッドユニット１および外部プレイヤ２間の共通信号線３上の信号を用いて、外部プレイヤ２が接続されているか否かを外部接続状態判断部１７−３で判別する（ステップＳＴ３）。
【００１６】
外部プレイヤ２が接続されている場合には、共通信号線３上の信号を用いて外部プレイヤ２を再生し（ステップＳＴ４）、切換スイッチ２３−１、２３−２を接点ｂ側にオンして映像出力部１４と音声出力部１５はどちらも外部プレイヤ２を選択する（ステップＳＴ５）。その後ヘッドユニット１は、リモートコントロール操作部４のパワー釦とＭＯＤＥ釦以外は無視する。外部プレイヤ２は、リモートコントロール操作部４の入力があれば、パワー釦とＭＯＤＥ釦以外の釦に対して反応する。
一方、ステップＳＴ３で外部プレイヤ２が接続されていない場合には、ヘッドユニット１の再生部１３を再生させ（ステップＳＴ６）、映像出力部１４と音声出力部１５はどちらも切換スイッチの接点をａ側に切り換えて再生部１３を選択する（ステップＳＴ７）。その後、音声トランスミッタ部６をオンする（ステップＳＴ８）。
【００１７】
また、ステップＳＴ２で音声トランスミッタ部６がオンの状態の場合には、後部座席（後席）用に利用しているソースが外部プレイヤ２か否か、つまり、再生部１３か外部プレイヤ２かを判別し（ステップＳＴ９）、外部プレイヤ２の場合には、前部座席（前席）が外部プレイヤ２を選択しているか否かを判別し（ステップＳＴ１０）、前部座席が外部プレイヤ２を選択していなければ、制御部１７は共通信号線３上の信号を用いて、外部プレイヤ２を停止させる（ステップＳＴ１１）。
また、ステップＳＴ９で後部座席用に利用しているソースが再生部１３の場合には、前部座席が再生部１３を選択しているか否かを判別し（ステップＳＴ１２）、前部座席が再生部１３を選択していなければ、再生部１３を停止させる（ステップＳＴ１３）。その後音声トランスミッタ部６をオフする（ステップＳＴ１４）。
【００１８】
また、ステップＳＴ１０で前部座席が外部プレイヤ２を選択しているか、ステップＳＴ１２で前部座席が再生部１３を選択している場合は、ステップＳＴ１４で音声トランスミッタ部６をオフする。
次に、ステップＳＴ１でリモートコントロール操作部４のパワー釦が押されない場合は、図４に示すステップＳＴ２１において、リモートコントロール操作部４のＭＯＤＥ釦が押されたか否かを判別し、リモートコントロール操作部４のＭＯＤＥ釦が押されていれば、リモートコントロールのＭＯＤＥ釦解析処理を開始する。
【００１９】
最初に、現在音声トランスミッタ部６がオン状態にあるか否かを判別し（ステップＳＴ２２）、音声トランスミッタ部６がオンの場合には、共通信号線３上の信号を用いて、外部プレイヤ２が接続されているか否かを外部接続状態判断部１７−３で判別し（ステップＳＴ２３）、外部プレイヤ２が接続されている場合には、後部座席（後席）用に選択しているのは外部プレイヤ２か否かを判別し、つまり、後部座席用に利用しているソースが再生部１３か外部プレイヤ２かを判断する（ステップＳＴ２４）。
ステップＳＴ２４で後部座席用に利用しているソースが外部プレイヤ２の場合には、前部座席（前席）が外部プレイヤ２を選択しているか否かを判別し（ステップＳＴ２５）、外部プレイヤ２を選択していなければ、共通信号線３上の信号を用いて、外部プレイヤ２を停止させる（ステップＳＴ２６）。その後、再生部１３を再生させ（ステップＳＴ２７）、映像出力部１４と音声出力部１５はどちらも再生部１３を選択する（ステップＳＴ２８）。また、ステップＳＴ２５で前部座席が外部プレイヤ２を選択している場合は、上述のステップＳＴ２７、ステップＳＴ２８同様に、再生部１３を再生させ、映像出力部１４と音声出力部１５のどちらにも再生部１３を選択させる。
【００２０】
一方、ステップＳＴ２４で後部座席用に利用しているソースが再生部１３の場合には、前部座席が再生部１３を選択しているか否かを判別し（ステップＳＴ２９）、再生部１３を選択していなければ再生部１３を停止させる（ステップＳＴ３０）。その後、共通信号線３上の信号を用いて、外部プレイヤ２を再生させ（ステップＳＴ３１）、映像出力部１４と音声出力部１５はどちらも外部プレイヤ２を選択する（ステップＳＴ３２）。また、ステップＳＴ２９で前部座席が再生部１３を選択している場合は、上述のステップＳＴ３１、ステップＳＴ３２同様に、外部プレイヤ２を再生させ、映像出力部１４と音声出力部１５のどちらにも外部プレイヤ２を選択させる。更に、ヘッドユニット１は、リモートコントロール操作部４のパワー釦とＭＯＤＥ釦以外は無視する。また、外部プレイヤ２は、リモートコントロール操作部４の入力が有れば、パワー釦とＭＯＤＥ釦以外の釦に対して反応する。
【００２１】
次に、図５を参照して、外部プレイヤ２の動作について説明する。
まず、リモートコントロール操作部４のパワー釦が押されたか否かを判別し（ステップＳＴ４１）、押されていれば、リモートコントロールのパワー釦解析処理を開始する。最初に、共通信号線３上の信号を用いて、ヘッドユニット１に映像・音声出力機能があるか否か、つまり、ヘッドユニット１に映像出力部１４と音声出力部１５が存在するか否かを制御部２２の外部接続及び処理判断部２２−２により判別し（ステップＳＴ４２）、ヘッドユニット１に映像出力、音声出力の機能が有れば、何もしない。つまり、音声トランスミッタ部６のオンオフ制御は、ヘッドユニット１に委ねる。
【００２２】
一方、ステップＳＴ４２でヘッドユニット１に映像出力、音声出力の機能が無ければ、図６に示すように、ヘッドユニット１に映像出力部１４と音声出力部１５が存在しない構成の組合わせと認識し、音声トランスミッタ部６がオン状態か否かを判別し（ステップＳＴ４３）、音声トランスミッタ部６がオフの状態の場合には、外部プレイヤ２を再生させ（ステップＳＴ４４）、音声トランスミッタ部６をオンにする（ステップＳＴ４５）。つまり、図６は、ヘッドユニット１に依存することなく、外部プレイヤ２の端子Ｔ１、Ｔ２にそれぞれモニタ部５と音声トランスミッタ部６を接続して、ヘッドユニット１と外部プレイヤ２を組み合わせた回路形態であるが、実際に使用する回路構成としては、外部プレイヤ２を実質的に単独で使用する場合を表している。
【００２３】
また、ステップＳＴ４３で音声トランスミッタ部６がオンの状態の場合には、前部座席が外部プレイヤ２を選択しているか否かを判別し（ステップＳＴ４６）、外部プレイヤ２を選択していなければ、外部プレイヤ２を停止させ（ステップＳＴ４７）、音声トランスミッタ部６をオフにする（ステップＳＴ４８）。また、ステップＳＴ４６で前部座席が外部プレイヤ２を選択している場合も、そのままステップＳＴ４８で音声トランスミッタ部６をオフする。
【００２４】
以上のように、この実施の形態１では、映像・音声を出力できる映像・音声出力装置が複数接続された場合、それぞれの映像・音声出力装置間の信号、つまりヘッドユニット１と外部プレイヤ２間で伝送する共通信号線３の信号を利用し、どのような機能をお互い備えているのか把握して、矛盾無いシステムを構築するので、結果として、付属品、例えば、後部座席用のリモートコントロール操作部４やモニタ部５、音声トランスミッタ部６などは、システムとして必要な分だけ組み合せることが可能であり、構成の簡略化、コストの低廉化が図れる。
【００２５】
また、接続機器（例えば、ヘッドユニット１のようなマスタ機器）が取り外されても、共通信号線３上の信号を利用して取り外されたことをそれぞれの機器が認識し、単独で動作できるように自動で切換わることができる。即ち、ヘッドユニット１と外部プレイヤ２は、共通信号線３を流れる信号に基づいて単独および組み合わせの少なくとも一方の回路形態で作動できる、つまり、単独や単に両者の組合せだけの構成だけでなく、組み合わせた状態で一部の部品を削除する等の一部を変更した構成も可能になるので、構成の簡略化、コストの低廉化に寄与できると共に、汎用性のあるシステムを構築できる。
【００２６】
なお、上記では、この発明の映像・音響システムを車両内に搭載した場合について説明した、これに限定されることなく、斯かる映像・音響システムを必要とするその他のものに搭載する場合も同様に適用でき、同様の効果を奏する。
【図面の簡単な説明】
【００２７】
【図１】この発明の実施の形態１による映像・音響システムの構成を示すブロック図である。
【図２】この発明の実施の形態１による映像・音響システムの要部の具体例を示す構成図である。
【図３】この発明の実施の形態１の動作を説明するためのフローチャートである。
【図４】この発明の実施の形態１の動作を説明するためのフローチャートである。
【図５】この発明の実施の形態１の動作を説明するためのフローチャートである。
【図６】この発明の実施の形態１による映像・音響システムの使用形態の一例を示すブロック図である。
【符号の説明】
【００２８】
１  映像・音声出力装置（ヘッドユニット）、２  映像・音声出力装置（外部プレイヤ）、３  共通信号線、４  リモートコントロール操作部、５  モニタ部、６  音声トランスミッタ部、１１  パネル操作部、１２  ラジオ受信部、１３，２１  再生部、１４  映像出力部、１５，１６  音声出力部、１７，２２  制御部、２３  切換スイッチ。
【図１】
2006086641.tif 000003
【図２】
2006086641.tif 000004
【図３】
2006086641.tif 000005
【図４】
2006086641.tif 000006
【図５】
2006086641.tif 000007
【図６】
2006086641.tif 000008